(57)【要約】【課題】近時、セラミックス応用の遠赤外線全身加温装置が米国製ではあるが、日本の医療機関で購入実施され治療効果をもたらしている。然しこの種は価格と治療時間に問題がある。日本においてもセラミックス利用で８０℃の高温での遠赤外線治療器はある。然し４０℃〜４５℃程度の低温で可撓性カーボン系発熱体を使用し、９μｍ前後の波長で身体に密着させ照射する温熱治療装置は見ることはない。【解決手段】本案は、８μｍ〜１５μｍの波長を有する遠赤外線放射体である可撓性カーボン系発熱体を採用する。発熱温度を３５℃〜６０℃とし、ガン細胞を撲滅する温度として身体温と関連し４２℃を患部に深達照射させる。温熱治療器の構成は、胸部と腹部を巻き付ける局所温熱治療装置、寝袋式全身温熱治療装置、サウナ式全身温熱治療装置を採用し、ガン治療、神経病治療、エイズ治療が可能な物理療法として提供する。【選択図】図４
0003135074.tif 000002
【実用新案登録請求の範囲】
【請求項１】
可撓性を有し遠赤外線を放射する発熱体において、綿織布又は不織布に電極帯を具備し、カーボン塗料を含浸・乾燥した抵抗体に絶縁、防水樹脂を被着した発熱体が、８μｍ〜１５μｍの遠赤外線波長範囲で放射輝度の高い４０℃〜６０℃の高温で放射することにより、放射熱は人体の皮膚下に深達効果をもたらし、局部又は全身温熱治療を可能にしてなる遠赤外線放射体。
【請求項２】
可撓性を有し遠赤外線を放射する発熱体において、織布の両側縁部に電極帯を設け、該電極帯と直角にある横糸抵抗は、カーボン抵抗横糸と横糸とが交互に縦糸と共に織り成された構成の線面抵抗体であり、該抵抗体の上、下面に絶縁、防水樹脂を被着した発熱体が、８μｍ〜１５μｍの遠赤外線波長範囲の放射輝度の高い４０℃〜６０℃の高温で放射することにより、放射熱は人体の皮膚下に深達効果をもたらし、局部又は全身温熱治療を可能にしてなる遠赤外線放射体。
【請求項３】
可撓性を有し遠赤外線を放射する発熱体において、カーボン樹脂フイルムの両側縁部に電極帯を内設した発熱体が、８μｍ〜１５μｍの波長範囲で放射輝度の高い４０℃〜６０℃の高温で放射することにより、放射熱は人体の皮膚下に深達効果をもたらし、局部又は全身温熱治療を可能にしてなる遠赤外線放射体。
【請求項４】
可撓性を有する前記請求項１乃至請求項３の発熱体の裏面から、カイロを熱源としたもの又はニクロム線を熱源としたハンデータイプの温熱器から放射させてなる放射体が、８μｍ〜１５μｍの波長範囲の放射輝度の高い４０℃〜６０℃の高温で放射することにより、放射熱は人体の皮膚下に深達効果をもたらし、局部又は全身温熱治療を可能にしてなる遠赤外線放射体。
【請求項５】
可撓性を有するセラミックス樹脂の裏面から、カーボン系発熱体又は電熱線やカイロを熱源として放射してなる放射体が、８μｍ〜１５μｍの波長範囲で放射輝度の高い４０℃〜６０℃の高温で放射することにより、放射熱は人体の皮膚下に深達効果をもたらし、局部又は全身温熱治療を可能にしてなる遠赤外線放射体。
【請求項６】
前記請求項１乃至請求項５の遠赤外線放射体の放射面に、更にトルマリン粒子を繊維に含浸させた遠赤外線放射体を介在させ、８μｍ〜１５μｍの波長で放射輝度の高い４０℃〜６０℃の高温で放射することにより、放射熱は人体の皮膚下に深達効果をもたらし、局部又は全身温熱治療を可能にしてなる遠赤外線放射体。
【請求項７】
可撓性を有するポリエステルの原料に、トルマリン石、天照石、石英等の超微粒子を練り込んだ織布の裏面から、カーボン系発熱体又は電熱線を熱源として放射してなる放射体が、８μｍ〜１５μｍの波長範囲で放射輝度の高い４０℃〜６０℃の高温で放射することにより、放射熱は人体の皮膚下に深達効果をもたらし局部又は全身温熱治療を可能にしてなる遠赤外線放射体。
【請求項８】
可撓性を有するセラミックス樹脂パイプに、４０℃〜６０℃の温水を通過させ、パイプから放射する遠赤外線又はセラミックス樹脂板に他のエネルギーの熱源を介して放射する放射体が、８μｍ〜１５μｍの波長範囲で放射輝度の高い４０℃〜６０℃の高温で放射することにより、放射熱は身体の皮膚下に深達効果をもたらし局部又は全身温熱治療を可能にしてなる遠赤外線放射体。
【請求項９】
前記請求項１乃至請求項３又は請求項５乃至請求項８の人体の皮膚下に深達効果をもたらしてなる遠赤外線放射体を、胸部から腹部全面に放射する温熱装置として、放射温度を３５ｄａｇ（周囲温度が０℃の時発熱する温度）前後とし、５０℃〜６０℃で制御するサーモスタットと７０℃で電源遮断する温度ヒューズを断熱材と共に内設した放射体を、人体の胴部全面に巻き付ける装置として、該胴部を固定する手段を腹部上面にて面ファスナーで一旦固定すると共に、胴部側面から胸部と腹部に巻き付け固定する帯状ベルトを具備し、その先端にある面ファスナーで固定した後、コントローラーにおいて電位治療装置と共に直腸、鼓膜等の身体温と関連した温度制御で、ガン撲滅温度４２℃を患部に深達照射させてなる局所温熱治療器。
【請求項１０】
前記請求項１乃至請求項３又は請求項５乃至請求項８の人体の皮膚下に深達効果をもたらしてなる遠赤外線放射体を、人体全身に温熱治療する装置として、寝具の敷フトンと掛フトン又は半円筒式掛けフトンに遠赤外線放射体を内設し、上、下フトンから最高発熱温度の４０℃〜５０℃範囲で人体全身に放射制御するコントローラーで、安全制御と共に、電位・温熱切替え装置と、直腸温又は鼓膜温の検知装置をも具備し、健康予備治療又はガン、エイズの撲滅治療として４２℃の温度を患部に照射する寝具方式の全身温熱治療器。
【請求項１１】
前記請求項１乃至請求項３又は請求項５乃至請求項８の人体の皮膚下に深達効果をもたらしてなる遠赤外線放射体を、人体全身に温熱治療する装置として、寝袋式構造の上、下面に身長大の可撓性遠赤外線放射体を内設し、最高発熱温度を４０℃〜５０℃とし、該寝袋式構造の側面部はチャック方式で開閉可能にし身体の出入りを自由な構成にすると共に、治療中寝袋上面から両手の出し入れができる構成と、身体接触面の防水布を洗浄可能とした平坦用寝袋式治療器又は寝袋式構造を座椅子に取り付けた座椅子式全身温熱治療器として装備し、コントローラーにおいて電位・温熱切替え装置と共に直腸、鼓膜等の身体温と関連した温度制御で、ガン撲滅温度４２℃を患部に深達照射させてなる寝袋式全身温熱治療器。
【請求項１２】
前記請求項１乃至請求項３又は請求項５乃至請求項８の人体の皮膚下に深達効果をもたらしてなる遠赤外線放射体を、ＢＯＸ型サウナ装置の底面、座席面、背面、左右側面に内設し、ＢＯＸ内部の遠赤外線放射温度を最高６０℃まで上昇可能にコントローラーで制御し、４０℃〜６０℃の温度で３０分、６０分の温熱療法で発汗効果をもたらし、更に直腸温、鼓膜温で治療温を感知制御し、ガン撲滅温度４２℃を患部に深達照射させてなるシャワー装置付きサウナ方式の全身温熱治療器。
【考案の詳細な説明】
【技術分野】
【０００１】    本考案の遠赤外線放射体から放射する波長は、人間の体から放射される全エネルギーの４５％が８〜１４μｍの波長であり同一である。この遠赤外線と共振作用を起こす外部放射の遠赤外線を放射させることにより、身体の皮膚下深部まで深達効果を増し患部に４２℃の温度を照射し、ガン、エイズを撲滅させる温熱治療技術に関する。
【背景技術】
【０００２】    近時、カーボンブラツク発熱体を熱源とし、身体の全表面に沿うような凹面鏡のドームに内設した遠赤外線放射全身温熱器、又は熱源を線状ヒーターとし、表面のセラミックス板に透過させ遠赤外線放射体として、局部治療又は全身温熱治療する装置は普及している。
【考案の開示】
【考案が解決しようとする課題】
【０００３】    しかし、上記線状ヒーターを熱源としセラミックス板を透過させる装置からの熱量は高く、強制的に発汗を促するものであるから、本来人体内部に吸収されて汗線の他に皮脂線も活動させ熱に変換する遠赤外線効果で新陳代謝をもたらすものとは異なる。又カーボンブラック発熱体は断面半円状に湾曲した装置に内設しないと使用できないため、本案の可撓性発熱体のような商品化はできない。
【課題を解決するための手段】
【０００４】    このように、この考案に採用する可撓性カーボン面発熱体から放射する遠赤外線は、先にも述べた如く人体から放射する波長８μｍ〜１５μｍと同一波長を大量に放射し、共振作用により有効な波長となり深達効果をもたらす。その結果人体内部に吸収されて「まろやか」な温度で汗線又は皮脂線を活動させ新陳代謝をもたらす。
【考案の効果】
【０００５】    以上により、本考案の胸部、腹部全面を保温する局所温熱治療器又は寝袋式全身温熱治療器を平坦箇所又は座椅子に寝袋を取り付けた装置の如く、可撓性カーボン面発熱体から放射する遠赤外線照射熱は、人体の皮膚に接触し４２℃〜４５℃の放射温度に制御して加温しても苦痛感はない。然し、患部に４２℃の温度を照射するには、体温は皮膚温より遅れて上昇するため正確にはセンサーを用いた食道温で測定するとよい。体験談として、アトピーが消えた。重度のリュウマチが完治した。ガン転移で余命３ケ月と云われた患者が全身治療で３年目を迎え日増しに元気になっている等の実績あり。
【考案を実施するための最良の形態】
【０００６】    本考案の局所温熱治療器又は全身温熱治療器は、ガン治療器以外に肥満解消、神経痛等の解消に良い、特に現在に生きる人間にとって避けることのできないのが、食べ物、空気、水などから体内に入り込んでくる、農薬、食品添加物、ダイオキシン等の有害化学物質又は水銀、鉛、ヒ素などの有害重金属です。体内に病変部があると必ず前記有害物質が集まります。ガンの場合は水銀、鉛、ウイルスまでが集まります。尿や便から排泄されず本案の遠赤外線で実に効果的に汗としてこの有害物質は排出されます。本案の遠赤外線の局所又は全身温熱装置は、疾患者の治療のみでなく健康体でも予防策として温熱療法（物理療法）で健康を維持することができる。
【実施例１】
【０００７】    例えば図１は、局所温熱治療器Ａの正面図である。遠赤外線放射体Ｂは、身体に接触する面の防水性布Ａーａと表地Ａーｂの袋状布の中に挿入される。放射体Ｂの挿入又は取り出しはチャックＢａ、Ｂｂにて開閉させる。この胴部巻き付け型治療器Ａは人体の背面から正面の胸部と腹部にかけて面ファスナーＢｃ、Ｂｄで固定されている。更に胴部表面材Ａーｂ両側面から胸部固定ベルトＣーａ、Ｃーｂが先端部面ファスナーＣーｃ、Ｃーｄで固定される構造になっている。又腹部も胸部同様に胴部表面材Ａーｂ両側面から腹部固定ベルトＤーａ、Ｄーｂが先端面ファスナーＤーｃ、Ｄーｄで固定される。腹部側面から電源コードＥａと中間連結プラグＥｂ、Ｅｃと更にコントローラーＦとコンセント差し込みプラグＥｄが取り付けられている。コントローラーＦには３０分、６０分で自動的に電源遮断する装置のほか、電位治療の切り替え装置が装備されている。
図２は局所温熱治療器Ａを身体に巻き付けた側面図である。治療器Ａは背面から胸部、腹部にかけて巻き込む形で先端面ファスナーＢｃ、Ｂｄで固定される。更に胸部側面から胸部固定ベルトＣーａ、Ｃーｂとその先端の面ファスナーＣーｃ、Ｃーｄで固定されている。腹部においても同様に固定ベルトＤーａ、Ｄーｂとその先端は面ファスナーＤーｃ、Ｄーｄで固定される。【０００８】    例えば図３は、寝袋式遠赤外線全身温熱治療器Ｇの斜面図である。平坦部における寝袋式構造は、敷きフトン部Ｙと上掛フトン部Ｚとの中央底辺から開閉チャックＧａで両側肩部まで連結されている。又、敷きフトン部Ｙには頭部マクラＣａを具備し、掛けフトンＺには頭部が露出するＵ字型Ｘａ構造と、両手が出し入れ出来る構造になっている。身体に接触する上、下フトンは防水性布Ｄａが縫製されこの防水布Ｄａの背面に遠赤外線放射体ＡａとＡｂが断熱材Ａーｃを被着して具備されている。更に上、下フトン共表布Ｆａは外見の良い布を使用する。遠赤外線放射体Ａａ、Ａｂには５０℃で制御する感熱線を蛇行配線すると共に７０℃の温度ヒューズが内設される。２組の遠赤外線放射体Ａａ、Ａｂから電源コードＨａとコントローラーＩａ及びプラグＪａが具備される。コントローラーＩａには電位治療の切り替え装置が具備されている。
図４は、座椅子構造に前記図３に記載の寝袋式遠赤外線全身治療器Ｇを装備した構造である。移動可能な座椅子には脚部Ｋの上部には座席Ｌと背もたれＭ又は足部固定板Ｎ、Ｏが具備した座椅子上に前記寝袋式遠赤外線温熱治療器Ｇが装備されている。【０００９】    例えば図５はサウナ式全身温熱治療器Ｗの斜面図である。設備的には腰掛け方式Ｐとし、遠赤外線放射体は足元Ｑヒーター、腰掛け位置にＲヒーター、身体背面にＴヒーター、左右側面にＳ、Ｕヒーターを内設する。温熱治療は電源を入れて３０分後入室し約４０分〜１時間全身温熱治療を行う。温度は基本的には４０℃〜６０℃であるが、コントローラーＶにより４２℃以上で発汗状態になれば３０分治療でもよい。最後にシャワー装置Ｘにて洗浄する。
【産業上の利用可能性】
【００１０】    本考案は、肩凝り、腰痛、疲労回復、腹部脂肪取り、針灸治療前保温、等が具体的な効果として有効であるが、近年２００２年頃からガン治療として４２℃の遠赤外線温熱治療が驚異的に認められるようになりつつある。
【図面の簡単な説明】
【００１１】
【図１】  局所温熱治療器の正面図である。
【図２】  局所温熱治療器の側面図である。
【図３】  寝袋式全身温熱治療器の斜面図である。
【図４】  座椅子式全身温熱治療器の斜面図である
【図５】  サウナ式全身温熱治療器の斜面図である。
【符号の説明】
【００１２】Ａ…局所温熱治療器
Ａａ…敷きフトン用遠赤外線放射体
Ａｂ…掛けフトン用遠赤外線放射体
Ａーａ…Ａの身体側防水布
Ａーｂ…Ａを被覆する表面布
Ａーｃ…断熱材
Ｂ…Ａ治療器の遠赤外線放射体
Ｂａ…Ｂを出し入れする開閉チャック
Ｂｂ…Ｂを出し入れする開閉チャック
Ｂｃ…Ａを固定する面ファスナー
Ｂｄ…Ａを固定する面ファスナー
Ｃａ…寝袋用頭部枕
Ｃーａ…巻き付け型治療器の胸部固定ベルト
Ｃーｂ…巻き付け型治療器の胸部固定ベルト
Ｃーｃ…胸部固定ベルトの先端面ファスナー
Ｃーｄ…胸部固定ベルトの先端面ファスナー
Ｄーａ…巻き付け型治療器の腹部固定ベルト
Ｄーｂ…巻き付け型治療器の腹部固定ベルト
Ｄーｃ…腹部固定ベルト先端の面ファスナー
Ｄーｄ…腹部固定ベルト先端の面ファスナー
Ｅａ…電源コード
Ｅｂ…中間プラグ
Ｅｃ…中間プラグ
Ｅｄ…先端プラグ
Ｆ…胴部巻き付け型治療器のコントローラー
Ｇ…寝袋式全身温熱治療器
Ｇａ…上、下フトンの開閉チャツク
Ｄａ…防水性布
Ｆａ…表布
Ｈａ…電源コード
Ｉａ…寝袋式全身治療器のコントローラー
Ｊａ…コンセントプラグ
Ｋ…座椅子用脚部
Ｌ…座席
Ｍ…背もたれ
Ｎ…座椅子脚部
Ｏ…座椅子脚部固定板
Ｐ…サウナ式全身治療器の腰掛け板
Ｑ…サウナ式全身治療器の足元遠赤外線放射体
Ｒ…サウナ式全身治療器の腰掛部遠赤外線放射体
Ｓ…サウナ式全身治療器の身体右面遠赤外線放射体
Ｔ…サウナ式全身治療器の身体背面遠赤外線放射体
Ｕ…サウナ式全身治療器の身体左面遠赤外線放射体
Ｖ…サウナ式全身治療器のコントローラー
Ｘ…サウナ式全身治療器のシャワー
Ｘａ…寝袋式掛フトン首回り部
Ｙ…寝袋式全身治療器の敷きフトン
Ｚ…寝袋式全身治療器の掛けフトン
【図１】
0003135074.tif 000003
【図２】
0003135074.tif 000004
【図３】
0003135074.tif 000005
【図４】
0003135074.tif 000006
【図５】
0003135074.tif 000007
【手続補正書】
【提出日】平成19年6月14日(2007.6.14)
【手続補正１】
【補正対象書類名】実用新案登録請求の範囲
【補正対象項目名】全文
【補正方法】変更
【補正の内容】
【実用新案登録請求の範囲】
【請求項１】
可撓性を有し遠赤外線を放射する発熱体において、綿織布又は不織布に電極帯を具備し、カーボン塗料を含浸・乾燥した抵抗体に絶縁、防水樹脂を被着した発熱体が、８μｍ〜１５μｍの遠赤外線波長範囲で放射輝度の高い４０℃〜６０℃の高温で放射することにより、放射熱は人体の皮膚下に深達効果をもたらし、局部又は全身温熱治療を可能にしてなる遠赤外線放射体。
【請求項２】
可撓性を有し遠赤外線を放射する発熱体において、織布の両側縁部に電極帯を設け、該電極帯と直角にある横糸抵抗は、カーボン抵抗横糸と横糸とが交互に縦糸と共に織り成された構成の線面抵抗体であり、該抵抗体の上、下面に絶縁、防水樹脂を被着した発熱体が、８μｍ〜１５μｍの遠赤外線波長範囲の放射輝度の高い４０℃〜６０℃の高温で放射することにより、放射熱は人体の皮膚下に深達効果をもたらし、局部又は全身温熱治療を可能にしてなる遠赤外線放射体。
【請求項３】
可撓性を有し遠赤外線を放射する発熱体において、カーボン樹脂フイルムの両側縁部に電極帯を内設した発熱体が、８μｍ〜１５μｍの波長範囲で放射輝度の高い４０℃〜６０℃の高温で放射することにより、放射熱は人体の皮膚下に深達効果をもたらし、局部又は全身温熱治療を可能にしてなる遠赤外線放射体。
【請求項４】
可撓性を有する前記請求項１乃至請求項３の発熱体の裏面から、カイロを熱源としたもの又はニクロム線を熱源としたハンデータイプの温熱器から放射させてなる放射体が、８μｍ〜１５μｍの波長範囲の放射輝度の高い４０℃〜６０℃の高温で放射することにより、放射熱は人体の皮膚下に深達効果をもたらし、局部又は全身温熱治療を可能にしてなる遠赤外線放射体。
【請求項５】
可撓性を有するセラミックス樹脂の裏面から、カーボン系発熱体又は電熱線やカイロを熱源として放射してなる放射体が、８μｍ〜１５μｍの波長範囲で放射輝度の高い４０℃〜６０℃の高温で放射することにより、放射熱は人体の皮膚下に深達効果をもたらし、局部又は全身温熱治療を可能にしてなる遠赤外線放射体。
【請求項６】
前記請求項１乃至請求項５の遠赤外線放射体の放射面に、更にトルマリン粒子を繊維に含浸させた遠赤外線放射体を介在させ、８μｍ〜１５μｍの波長で放射輝度の高い４０℃〜６０℃の高温で放射することにより、放射熱は人体の皮膚下に深達効果をもたらし、局部又は全身温熱治療を可能にしてなる遠赤外線放射体。
【請求項７】
可撓性を有するポリエステルの原料に、トルマリン石、天照石、石英等の超微粒子を練り込んだ織布の裏面から、カーボン系発熱体又は電熱線を熱源として放射してなる放射体が、８μｍ〜１５μｍの波長範囲で放射輝度の高い４０℃〜６０℃の高温で放射することにより、放射熱は人体の皮膚下に深達効果をもたらし局部又は全身温熱治療を可  能にしてなる遠赤外線放射体。
【請求項８】
可撓性を有するセラミックス樹脂パイプに、４０℃〜６０℃の温水を通過させ、パイプから放射する遠赤外線又はセラミックス樹脂板に他のエネルギーの熱源を介して放射する放射体が、８μｍ〜１５μｍの波長範囲で放射輝度の高い４０℃〜６０℃の高温で放射することにより、放射熱は身体の皮膚下に深達効果をもたらし局部又は全身温熱治療を可能にしてなる遠赤外線放射体。
【請求項９】
前記求項１乃至請求項３又は請求項５乃至請求項８の人体の皮膚下に深達効果をもたらしてなる遠赤外線放射体を、胸部から腹部周辺の胴体全面から放射する装置に可撓性カーボン面発熱体を採用し、発熱能力と周囲温度を含め４５℃前後の温度にして放射させ、安全装置として、５０℃〜６０℃で制御するサーモスタットと７０℃で電源遮断する温度ヒューズを断熱材と共に内設した構成の放射体を、人体の胴体に巻き付け固定する袋状外皮の中にチャック式で開閉収納させ、袋内部は身体に接触する面を防水性外皮とし、背面外皮の左右に帯状ベルトを具備させ、身体胴部の固定は巻き付け外皮の左右先端面の面ファスナーを身体中央部で一次止めし、最後に左右の帯状ベルトの先端面ファスナーで固定して止める、発熱装置のコントローラーには、タイマー制御、電位切り替え制御、直腸温との関連温度調節制御が具備されており、ガン撲滅温度である４２℃以上を患部に深達放射してなる局所温熱治療器。
【請求項１０】
前記請求項１乃至請求項３又は請求項５乃至請求項８の人体の皮膚下に深達効果をもたらしてなる遠赤外線放射体を、人体全身に温熱治療する装置として、寝具の敷フトンと掛フトン又は半円筒式掛けフトンに遠赤外線放射体を内設し、上、下フトンから最高発熱温度の４０℃〜５０℃範囲で人体全身に放射制御するコントローラーで、安全制御、と共に、電位・温熱切替え装置と、直腸温又は鼓膜温の検知装置をも具備し、健康予備治療又はガン、エイズの撲滅治療として４２℃の温度を患部に照射する寝具方式の全身温熱治療器。
【請求項１１】
前記請求項１乃至請求項３又は請求項５乃至請求項８の人体の皮膚下に深達効果をもたらしてなる遠赤外線放射体を、人体全身に温熱治療する装置として、寝袋式構造の上、下面に身長大の可撓性遠赤外線放射体を内設し、最高発熱温度を４０℃〜５０℃とし、該寝袋式構造の側面部はチャック方式で開閉可能にし身体の出入りを自由な構成にすると共に、治療中寝袋上面から両手の出し入れができる構成と、身体接触面の防水布を洗浄可能とした平坦用寝袋式治療器又は寝袋式構造を座椅子に取り付けた座椅子式全身温熱治療器として装備し、コントローラーにおいて電位・温熱切替え装置と共に直腸、鼓膜等の身体温と関連した温度制御で、ガン撲滅温度４２℃を患部に深達照射させてなる寝袋式全身温熱治療器。
【請求項１２】
前記請求項１乃至請求項３又は請求項５乃至請求項８の人体の皮膚下に深達効果をもたらしてなる遠赤外線放射体を、ＢＯＸ型サウナ装置の底面、座席面、背面、左右側面  に内設し、ＢＯＸ内部の遠赤外線放射温度を最高６０℃まで上昇可能にコントローラーで制御し、４０℃〜６０℃の温度で３０分、６０分の温熱療法で発汗効果をもたらし、更に直腸温、鼓膜温で治療温を感知制御し、ガン撲滅温度４２℃を患部に深達照射させてなるシャワー装置付きサウナ方式の全身温熱治療器。
【手続補正２】
【補正対象書類名】明細書
【補正対象項目名】０００７
【補正方法】変更
【補正の内容】
【０００７】例えば図１は、局所温熱治療器Ａの正面図である。遠赤外線放射体Ｂは、身体に接触する面の防水性布Ａ−ａと表地Ａ−ｂの袋状布の中に挿入される。
放射体Ｂの挿入又は取り出しはチャックＢａ、Ｂｂにて開閉させる。この胴部巻き付け型治療器Ａは人体の背面から正面の胸部と腹部にかけて面ファスナーＢｃ、Ｂｄで固定されている。更に胴部表面材Ａ−ｂ両側面から胸部固定ベルトＣーａ、Ｃーｂが先端部面ファスナーＣーｃ、Ｃーｄで固定される構造になっている。又腹部も胸部同様に胴部表面材Ａーｂ両側面から腹部固定ベルトＤーａ、Ｄーｂが先端面ファスナーＤーｃ、Ｄーｄで固定される。
腹部側面から電源コードＥａと中間連結プラグＥｂ、Ｅｃと更にコントローラーＦとコンセント差し込みプラグＥｄが取り付けられている。コントローラーＦには３０分、６０分で自動的に電源遮断する装置のほか、電位治療の切り替え装置が装備されている。
図２は、図１の局所温熱治療器Ａを身体の胴部全面に巻き付け固定した側面図である。袋状の局所温熱治療器Ａには前記の如く遠赤外線放射体Ｂが内設されており、袋状内も身体に接触する面は防水性布Ａーａとし、表地Ａーｂで構成されており、袋状外皮の両先端は胴部を固定するたの面ファスナーＢｃ、Ｂｄが具備され固定される。更に前記表地Ａーｂの胴部左右側面から胸部を固定するベルトＣーａ、Ｃーｂが先端部に面ファスナーＣーｃ、Ｃーｄを具備し固定されると共に、腹部においても腹部固定ベルトＤーａ、Ｄーｂが先端部の面ファスナーＤーｃ、Ｄーｄによって局所温熱治療器Ａを完全に固定することが可能となる。更に他の手段で固定することも可能である。